(57)【要約】  足関節の安定性を向上して、着用者の歩行性を高めることができるテーピング機能を具備する足関節用バンデージを提供する。  足関節用バンデージ１００は、面ファスナーのループ面１０ｃを有する織物で織成され、着用者の足首に巻回される巻回部１１、着用者の足甲から足首まで配置される第１の支持部１２、並びに、着用者の足甲の上部で第１の支持部１２に交差して着用者の足首から足甲まで配置される第２の支持部１３からなる帯状の本体部１０と、本体部１０の一端１０ａに接合され、面ファスナーのループ面２３を有する織物で織成され、着用者の中足骨に対応する部分に締結するアンカー部２０と、本体部１０の他端１０ｂに接合され、アンカー部２０のループ面２３に脱着する面ファスナーのフック面３３を有する係着部３０と、を備える。
2015133478.tif 000002
【特許請求の範囲】
【請求項１】
織物で織成され、着用者の足首に巻回される巻回部、前記着用者の足甲から足首まで配置される第１の支持部、並びに、前記着用者の足甲の上部で前記第１の支持部に交差して前記着用者の足首から足甲まで配置される第２の支持部からなる帯状の本体部と、
前記本体部の一端に接合され、面ファスナーのループ面を有する織物で織成され、前記着用者の中足骨に対応する部分に締結されるアンカー部と、
前記本体部の他端に接合され、前記アンカー部のループ面に着脱する面ファスナーのフック面を有する係着部と、
を備えることを特徴とする足関節用バンデージ。
【請求項２】
請求項１に記載の足関節用バンデージにおいて、
前記第１の支持部が前記本体部の一端側に配設され、前記第２の支持部が前記本体部の他端側に配設され、前記巻回部が前記第１の支持部及び第２の支持部間に配設され、かつ、前記第１の支持部、巻回部及び第２の支持部が同幅の直線状であることを特徴とする足関節用バンデージ。
【請求項３】
請求項１又は２に記載の足関節用バンデージにおいて、
前記本体部の長手方向の最大伸度が、４０％〜８０％であることを特徴とする足関節用バンデージ。
【請求項４】
請求項１乃至３のいずれかに記載の足関節用バンデージにおいて、
前記アンカー部及び本体部が、前記アンカー部の周方向と前記本体部の長手方向とのなす角を１４５°〜１６５°として接合されることを特徴とする足関節用バンデージ。
【請求項５】
請求項１乃至４のいずれかに記載の足関節用バンデージにおいて、
前記アンカー部と前記本体部の一端との接合部が、前記本体部の幅方向の長さよりも長く前記本体部の他端側を凸に縫製されることを特徴とする足関節用バンデージ。
【請求項６】
請求項１乃至５のいずれかに記載の足関節用バンデージにおいて、
前記アンカー部が、略円錐筒状であることを特徴とする足関節用バンデージ。
【請求項７】
請求項１乃至６のいずれかに記載の足関節用バンデージにおいて、
文字、図形若しくは記号又はこれらの結合からなる紋様が、前記本体部の表地面に形成されることを特徴とする足関節用バンデージ。
【発明の詳細な説明】
【技術分野】
【０００１】
この発明は、着用者の日常動作を支援することのできる足関節用バンデージに関し、特に、足関節の安定性を向上して、下腿三頭筋（ふくらはぎ）の疲労を減少すると共に、アキレス腱、下腿三頭筋及び足関節外側（靭帯）の疼痛を緩和するテーピング機能を具備する足関節用バンデージに関するものである。
【背景技術】
【０００２】
従来、手関節、足関節若しくは膝関節の捻挫などの外傷予防、これらの外傷を受傷したときの応急処置、受傷後から完全回復までのリハビリテーションの補助、又は、外傷等の再発予防などの医療用の目的に対応するために、帯状のテーピングテープ（身体の部分に貼着して使用する伸縮性又は非伸縮性粘着布テープ）又はバンデージや丸編で編成された略筒状のサポーターなどが使用されている。【０００３】
これらのうち、テーピングテープは、使い切りで経済的ではなく、使用者の体質によっては粘着剤で使用者の皮膚にかぶれを生じさせるうえに、高齢者などの皮膚の弱い使用者にはテーピングテープを剥がす際に表皮剥離を生じさせる虞があるという課題がある。
また、丸編のサポーターは、略筒状であるため、受傷した部位を無理に曲げて挿入にする場合に痛みを伴う虞があるうえに、テーピングテープと比較して固定力が劣るという課題がある。
これに対し、バンデージは、経糸方向に伸縮性を有する帯状織物であるため、患部に追従し易く、着用者自身で固定力を調整しながら巻回させることができ、着用者の体の動きに対して無理な力が掛からず、安定した固定力が得られ、反復使用が可能なために経済的である。【０００４】
例えば、従来の足首矯正具は、足の親指又はその他の指に係止される係止部と、足首に環状に巻回されて固定され、当該巻回の方向に沿って伸縮する可撓性を有する帯状の環状巻回部と、これら係止部と環状巻回部とを繋ぎ、足の親指又はその他の指から足首にかけて螺旋状に巻回され、当該巻回の方向に沿って伸縮する可撓性を有する帯状の螺旋巻回部と、環状巻回部及び螺旋巻回部と係止部との間で折れ曲がった折曲螺旋巻回部とを備える（例えば、特許文献１参照）。
【先行技術文献】
【特許文献】
【０００５】
【特許文献１】特開２０１１−４５６２８号公報
【発明の概要】
【発明が解決しようとする課題】
【０００６】
従来の足首矯正具は、足の親指又はその他の指を挿入する係止部をアンカーとするもので、足の指から足首にかけて螺旋状に巻回され、足首の外旋又は内旋を矯正するものであり、足首の関節全体を安定させるためのテーピング（フィギュアエイト）を意図したものではない。
また、従来の足首矯正具は、足の親指又はその他の指のうち１本の足指だけに係止部を挿入するため、他の指と比較して係止部の生地の厚さ分だけ係止部を挿入した足指が高くなり、足首矯正具を装着して歩行する際に足裏に違和感を生じさせるという課題がある。
また、従来の足首矯正具は、ゴム板の表裏面に布（面ファスナー布、通常布）が接合固定されている素材を環状巻回部に用いており、環状巻回部の厚みが厚くなるという課題がある。
また、特許文献１には、折曲螺旋巻回部、環状巻回部及び螺旋巻回部の最大伸度の具体的な開示はない。【０００７】
この発明は、上述のような課題を解決するためになされたもので、足関節の安定性を向上して、着用者の歩行性を高めることができるテーピング機能を具備する足関節用バンデージを提供することを目的とする。
【課題を解決するための手段】
【０００８】
この発明に係る足関節用バンデージにおいては、織物で織成され、着用者の足首に巻回される巻回部、着用者の足甲から足首まで配置される第１の支持部、並びに、着用者の足甲の上部で第１の支持部に交差して着用者の足首から足甲まで配置される第２の支持部からなる帯状の本体部と、本体部の一端に接合され、面ファスナーのループ面を有する織物で織成され、着用者の中足骨に対応する部分に締結するアンカー部と、本体部の他端に接合され、アンカー部のループ面に脱着する面ファスナーのフック面を有する係着部と、を備えるものである。
なお、この発明において、「配置」とは「者（着用者の部位）に対する所定の位置に当てて止めて置くこと」を意味し、「配設」とは「物（足関節用バンデージ）に対する所定の位置に設けたこと」を意味する。
【発明の効果】
【０００９】
この発明に係る足関節用バンデージにおいては、足関節の安定性を向上して、下腿三頭筋の疲労を減少すると共に、アキレス腱、下腿三頭筋及び足関節外側（靭帯）の疼痛を緩和することができる。
【図面の簡単な説明】
【００１０】
【図１】（ａ）は第１の実施形態に係る右足内反捻挫予防用の足関節用バンデージの概略構成を示す正面図であり、（ｂ）は図１（ａ）に示す足関節用バンデージの背面図である。
【図２】（ａ）は図１に示す本体部及びアンカー部に紋様を形成した足関節用バンデージの概略構成を示す正面図であり、（ｂ）は図２（ａ）に示す足関節用バンデージの背面図である。
【図３】（ａ）は図１（ａ）に示す足関節用バンデージの左側面図であり、（ｂ）は図１（ａ）に示す足関節用バンデージの右側面図であり、（ｃ）は図１（ａ）に示す足関節用バンデージの平面図であり、（ｄ）は図１（ａ）に示す足関節用バンデージの底面図である。
【図４】（ａ）は図１（ａ）に示す足関節用バンデージの本体部を環状に表した左側面図であり、（ｂ）は図１（ａ）に示す足関節用バンデージの本体部を環状に表した右側面図である。
【図５】（ａ）は図１に示すアンカー部のセンターマークを正面中央に位置させた正面図であり、（ｂ）は図１に示す足関節用バンデージの斜視図である。
【図６】（ａ）は図１及び図４に示す足関節用バンデージの着用状態を左側前方からみた説明図であり、（ｂ）は図１及び図４に示す足関節用バンデージの着用状態を正面側からみた説明図であり、（ｃ）は図１及び図４に示す足関節用バンデージの着用状態を左側後方からみた説明図であり、（ｄ）は図１及び図４に示す足関節用バンデージの着用状態を右側前方からみた説明図である。
【図７】（ａ）は図１及び図４に示す足関節用バンデージのアンカー部に右足のつま先を挿入した状態を示す説明図であり、（ｂ）は本体部を右足の内踝から足首に半回転させた状態を示す説明図であり、（ｃ）は図７（ｂ）に示す状態から足首にさらに半回転させた状態を示す説明図であり、（ｄ）は右足の外踝から第１指側にかけて足甲で本体部を配置させた状態を示す説明図である。
【図８】（ａ）は第１の実施形態に係る左足内反捻挫予防用の足関節用バンデージの概略構成を示す正面図であり、（ｂ）は図８（ａ）に示す足関節用バンデージの背面図である。
【図９】（ａ）は図８（ａ）に示す足関節用バンデージの左側面図であり、（ｂ）は図８（ａ）に示す足関節用バンデージの右側面図であり、（ｃ）は図８（ａ）に示す足関節用バンデージの平面図であり、（ｄ）は図８（ａ）に示す足関節用バンデージの底面図である。
【図１０】（ａ）は図８（ａ）に示す足関節用バンデージの本体部を環状に表した左側面図であり、（ｂ）は図８（ａ）に示す足関節用バンデージの本体部を環状に表した右側面図である。
【図１１】（ａ）は図１に示す本体部及びアンカー部のループ面の織物組織の一例を説明するための説明図であり、（ｂ）は図１１（ａ）に示す織物組織の矢視Ａ−Ａ’線の断面図である。
【図１２】（ａ）は図２に示す本体部及びアンカー部のループ面及び紋様部分の織物組織の一例を説明するための説明図であり、（ｂ）は図１２（ａ）に示す織物組織の矢視Ｂ−Ｂ’線の断面図である。
【図１３】図１に示す本体部の最大伸度の違いによる効果感の評価結果を示す表である。
【図１４】（ａ）は第１の実施形態に係る右足内反捻挫予防用の他の足関節用バンデージの概略構成を示す正面図であり、（ｂ）は図１４（ａ）に示す足関節用バンデージの背面図である。
【図１５】（ａ）は図１４（ａ）及び図１４（ｂ）に示す本体部の表地面の織物組織の一例を説明するための説明図であり、（ｂ）は図１５（ａ）に示す織物組織の矢視Ｃ−Ｃ’線の断面図である。
【図１６】（ａ）は面ファスナーのループ面を有しない本体部の紋様部分の織物組織の一例を説明するための説明図であり、（ｂ）は図１６（ａ）に示す織物組織の矢視Ｄ−Ｄ’線の断面図である。
【発明を実施するための形態】
【００１１】
（本発明の第１の実施形態）
本発明において、バンデージとは「経糸方向に伸縮性を有する帯状織物を主材とし、当該帯状織物が身体の一部に巻回されることで、当該身体の機能を補助することができるもの」を意味し、このような効力を有するものであれば、バンデージと表現されていなくても（例えば、テーピングサポーター、サポーターバンドなど）本発明のバンデージの範囲内である。
本発明の足関節用バンデージ１００は、図１〜図１０に示すように、面ファスナーのループ面１０ｃを有する織物で織成され、着用者の足首に巻回される巻回部１１、着用者の足甲から足首まで張った状態で配置される第１の支持部１２、並びに、着用者の足甲の上部で第１の支持部１２に交差して着用者の足首から足甲まで張った状態で配置される第２の支持部１３からなる帯状の本体部１０と、本体部１０の一端１０ａに接合され、面ファスナーのループ面２３を有する織物で織成され、着用者の中足骨に対応する部分に締結するアンカー部２０と、本体部１０の他端１０ｂに接合され、アンカー部２０のループ面２３に着脱する面ファスナーのフック面３３を有する係着部３０と、を備える。
【００１２】
アンカー部２０は、着用者の中足骨に対応する部分に締結することにより、着用者の足関節に対して足関節用バンデージ１００を位置決めすると共に、フィギュアエイトを構成する本体部１０の下部アンカーとなる。
【００１３】
本体部１０及びアンカー部２０は、帯状であって、ニードル織機やジャカードニードル織機などの力織機により、経糸１及び緯糸２を組み合わせて織成され、経糸方向（長手方向Ｌ、周方向）に伸縮性を有し、緯糸方向（幅方向Ｗ）の伸縮性を抑制した細幅の伸縮織物からなる。
また、本体部１０は、着用者の足首に巻回される巻回部１１、着用者の足甲から足首まで張った状態で配置される第１の支持部１２、並びに、着用者の足甲の上部で第１の支持部１２に交差して着用者の足首から足甲まで張った状態で配置される第２の支持部１３から構成され、第１の支持部１２が本体部１０の一端１０ａ側に配設され、第２の支持部１３が本体部１０の他端１０ｂ側に配設され、巻回部１１が第１の支持部１２及び第２の支持部１３間に配設され、かつ、第１の支持部１２、巻回部１１及び第２の支持部１３が同幅の直線状である。
【００１４】
また、本体部１０及びアンカー部２０の経糸１は、図１１に示すように、緯糸２と共に織物の一の面（例えば、裏地面）を構成する経地糸１ａと、経糸方向で隣り合う複数の緯糸２上に浮いて織物の他の面（例えば、表地面）にループを形成するパイル糸１ｂと、経糸方向に伸縮性を与える弾性糸１ｃと、を備える。以後、本明細書において、本体部１０のループ面１０ｃ及びアンカー部２０のループ面２３を有する面を「表地面」と称し、その背面を「裏地面」と称する。
緯糸２は、経地糸１ａと共に織物の裏地面を構成する緯地糸２ａと、緯地糸２ａに並設される熱融着性を有する融着糸２ｂと、を備え、１本の緯地糸２ａ及び１本の融着糸２ｂを並設して１本の緯糸２として構成される。なお、図１１及び図１２においては、１本の緯地糸２ａ及び１本の融着糸２ｂを１本の緯糸２として図示している。また、図１１（ｂ）及び図１２（ｂ）においては、並設される緯糸２を基準にして、上側が表地面となり、下側が裏地面となる。
【００１５】
また、本体部１０及びアンカー部２０は、ジャカードニードル織機を用いることにより、経糸方向（長手方向Ｌ）で隣り合う複数の緯糸２に対して、経糸１の経地糸１ａを表地面側に浮かせ、経糸１のパイル糸１ｂを裏地面側に沈ませて、図２に示すように、自由に開口するジャガード組織にて、文字、図形若しくは記号又はこれらの結合からなる紋様１４を表地面に部分的に形成することができ、紋様１４の領域を除き、表地面の略全面にループ（ループ面１０ｃ、ループ面２３）を有することになる。
【００１６】
次に、図１１を用いて本実施形態に係る本体部１０及びアンカー部２０の織物組織の一例を説明する。すなわち、ループ面１０ｃ（ループ面２３）をなす経地糸１ａは、図１１（ｂ）に示すように、１本の緯糸２（緯地糸２ａ、融着糸２ｂ）に対して上側を通って浮き、隣り合う３本の緯糸２（緯地糸２ａ、融着糸２ｂ）に対して下側を通って沈む、緯糸２（緯地糸２ａ、融着糸２ｂ）との１−３の交差浮沈を繰り返して、織物組織を構成する。
また、ループ面１０ｃ（ループ面２３）をなすパイル糸１ｂは、図１１（ｂ）に示すように、隣り合う６本の緯糸２（緯地糸２ａ、融着糸２ｂ）に対して上側を通って浮き、隣り合う２本の緯糸２（緯地糸２ａ、融着糸２ｂ）に対して下側を通って沈み、隣り合う２本の緯糸２（緯地糸２ａ、融着糸２ｂ）に対して上側を通って浮き、隣り合う２本の緯糸２（緯地糸２ａ、融着糸２ｂ）に対して下側を通って沈む、緯糸２（緯地糸２ａ、融着糸２ｂ）との６−２−２−２の交差浮沈を繰り返して、織物組織を構成する。
また、ループ面１０ｃ（ループ面２３）をなす弾性糸１ｃは、図１１（ｂ）に示すように、１本の緯糸２（緯地糸２ａ、融着糸２ｂ）に対して上側を通って浮き、１本の緯糸２（緯地糸２ａ、融着糸２ｂ）に対して下側を通って沈む、緯糸２（緯地糸２ａ、融着糸２ｂ）との１−１の交差浮沈を繰り返して、織物組織を構成する。
なお、図１１に示す経地糸１ａ、パイル糸１ｂ及び弾性糸１ｃによる織物組織は、一例であり、表地面にループ（ループ面１０ｃ、ループ面２３）を有することができるのであれば、この織物組織に限られるものではない。
【００１７】
続いて、図１２を用いて本実施形態に係る本体部１０に形成する紋様１４の織物組織の一例を説明する。すなわち、紋様１４をなす経地糸１ａは、図１２（ｂ）に示すように、隣り合う３本の緯糸２（緯地糸２ａ、融着糸２ｂ）に対して上側を通って浮き、１本の緯糸２（緯地糸２ａ、融着糸２ｂ）に対して下側を通って沈む、緯糸２（緯地糸２ａ、融着糸２ｂ）との３−１の交差浮沈を繰り返して、織物組織を構成する。
また、紋様１４をなすパイル糸１ｂは、図１２（ｂ）に示すように、隣り合う２本の緯糸２（緯地糸２ａ、融着糸２ｂ）に対して下側を通って沈み、隣り合う２本の緯糸２（緯地糸２ａ、融着糸２ｂ）に対して上側を通って浮く、緯糸２（緯地糸２ａ、融着糸２ｂ）との２−２の交差浮沈を繰り返して、織物組織を構成する。
また、紋様１４をなす弾性糸１ｃは、図１２（ｂ）に示すように、１本の緯糸２（緯地糸２ａ、融着糸２ｂ）に対して上側を通って浮き、１本の緯糸２（緯地糸２ａ、融着糸２ｂ）に対して下側を通って沈む、緯糸２（緯地糸２ａ、融着糸２ｂ）との１−１の交差浮沈を繰り返して、織物組織を構成する。
なお、図１２に示す経地糸１ａ、パイル糸１ｂ及び弾性糸１ｃによる織物組織は、一例であり、表地面のループ面１０ｃ，２３の間に紋様１４を形成することができるのであれば、この織物組織に限られるものではない。
【００１８】
また、本体部１０及びアンカー部２０は、経糸１及び緯糸２の材質（特に、弾性糸１ｃ及び緯地糸２ａの太さ）並びに緯糸２の打込み回数（本数）により、経糸方向（長手方向Ｌ）の最大伸度を自在に調整することが可能である。本発明において最大伸度とは、「最高荷重で引き伸ばしたときの最長の長さ（伸び寸法）と元の長さ（置き寸法）との差の、元の長さに対する百分率」を示す。
【００１９】
特に、本実施形態に係る本体部１０及びアンカー部２０の経糸方向（長手方向Ｌ）の最大伸度は、後述の官能評価の総合的判断の結果から、４０％〜８０％に設定することが好ましく、４５％〜７５％がより好ましく、６０％が最も好ましい。
【００２０】
ここで、最大伸度を６０％に設定した本体部１０及びアンカー部２０の実施形態について説明する。本実施形態に係る本体部１０及びアンカー部２０の経地糸１ａは、太さ１００番手のウーリーナイロン双糸が好ましく、本実施形態に係る本体部１０及びアンカー部２０には、１３２本のウーリーナイロン双糸を用いるのが好ましい。
また、本実施形態に係る本体部１０及びアンカー部２０のパイル糸１ｂは、１０本のナイロンフィラメントを撚り合わせて熱を加えて、さらに１０本のナイロンフィラメントの撚り方向と反対方向に撚り加工した太さ２１０デニールの特殊加工糸（２１０Ｄ−１０Ｆ）であり、本実施形態に係る本体部１０及びアンカー部２０には、１３２本の特殊加工糸（２１０Ｄ−１０Ｆ）を用いるのが好ましい。
また、本実施形態に係る本体部１０及びアンカー部２０の弾性糸１ｃは、太さ５６０デニールのポリウレタン糸が好ましく、本実施形態に係る本体部１０及びアンカー部２０には、３６本のポリウレタン糸を用いるのが好ましい。
【００２１】
すなわち、前述の経糸１の材質における本体部１０及びアンカー部２０は、例えば、幅が５ｃｍであれば、経糸１（経地糸１ａ、パイル糸１ｂ、弾性糸１ｃ）による経密度が、１４８５．６Ｄ／ｍｍ（＝（（２１０Ｄ×１３２本）＋（１００Ｄ×２本×１３２本）＋（５６０Ｄ×３６本））／５０ｍｍ）である。
【００２２】
なお、本実施形態に係る本体部１０及びアンカー部２０のパイル糸１ｂは、フィラメントカウントが１０本であることにより、フィラメントカウントがローカウント（例えば、７本）の場合と比較して、密集するフィラメントの接着力が高く、織物（本体部１０、アンカー部２０）の風合いが柔らかいという利点がある。
また、本実施形態に係る本体部１０及びアンカー部２０の弾性糸１ｃは、太さを５６０デニールにすることにより、太い弾性糸（例えば、１１２０デニール）の場合と比較して、織物（本体部１０、アンカー部２０）の厚みを薄くして織物自体を柔らかくすることができる。
【００２３】
さらに、本実施形態に係る本体部１０及びアンカー部２０の緯地糸２ａは、太さ１５０デニールのポリエステルウーリー糸（ＥＷ：polyester woolly）１本を用いることが好ましい。
また、本実施形態に係る本体部１０及びアンカー部２０の融着糸２ｂには、太さ１００デニールのナイロン熱融着糸（例えば、東レ株式会社製「エルダー（登録商標）」）１本を用いることが好ましい。
また、本実施形態に係る本体部１０及びアンカー部２０には、力織機により１本の緯地糸２ａ及び１本の融着糸２ｂが緯糸２として同時に打込まれ、緯糸２（緯地糸２ａ、融着糸２ｂ）の打込み回数（本数）が２．５４ｃｍ（１インチ）当り３６．９回（各３６．９本）である。
【００２４】
すなわち、前述の緯糸２の材質及び打込み回数（本数）における本体部１０及びアンカー部２０は、緯糸２（ポリエステルウーリー糸、ナイロン熱融着糸）による緯密度が、９２２５Ｄ／インチ（＝（１５０Ｄ＋１００Ｄ）×３６．９回／インチ）である。
【００２５】
なお、本実施形態に係る本体部１０及びアンカー部２０の緯糸２の緯地糸２ａは、太さを１５０デニールにすることにより、太い緯糸の緯地糸（例えば、３００デニール）の場合と比較して、織物（本体部１０、アンカー部２０）の厚みを薄くすることができる。
【００２６】
このように、本実施形態に係る本体部１０及びアンカー部２０は、前述の経糸１及び緯糸２の材質（特に、弾性糸１ｃ及び緯地糸２ａの太さ）並びに緯糸２の打込み回数（本数）により、経糸方向（長手方向Ｌ、周方向）の最大伸度を６０％に設定することができる。
【００２７】
なお、本実施形態に係る弾性糸１ｃの太さについては、５６０デニールを一例として挙げてきたが、本発明において、入手（量産）可能な１ランク下の太さの４２０デニールや１ランク上の太さの１１２０デニールを選択し、前述の緯糸２の太さ及び打込み回数（本数）を変更してもよい。すなわち、本実施形態に係る弾性糸１ｃの太さは、４２０デニール〜１１２０デニールであれば、本体部１０及びアンカー部２０の経糸方向の最大伸度を前記範囲内の最大伸度に設定することが可能である。
【００２８】
また、本実施形態に係る緯糸２の緯地糸２ａの太さについては、１５０デニールを一例として挙げてきたが、本発明において、入手（量産）可能な１ランク下の太さの１００デニールや１ランク上の太さの３００デニールを選択し、前述の弾性糸１ｃの太さ及び緯糸２の打込み回数（本数）を変更してもよい。すなわち、本実施形態に係る緯糸２の緯地糸２ａの太さは、１００デニール〜３００デニールであれば、本体部１０及びアンカー部２０の経糸方向の最大伸度を前記範囲内の最大伸度に設定することが可能である。
【００２９】
また、本実施形態に係る緯糸２（緯地糸２ａ、融着糸２ｂ）の打込み回数（本数）については、２．５４ｃｍ（１インチ）当り３６．９回（各３６．９本）を一例として挙げてきたが、本発明において、２．５４ｃｍ当り３２．８回（各３２．８本）〜４１．０回（各４１．０本）を選択し、前述の弾性糸１ｃ及び緯糸２の太さを変更してもよい。すなわち、本実施形態に係る緯糸２（緯地糸２ａ、融着糸２ｂ）の打込み回数（本数）は、２．５４ｃｍ当り３２．８回（各３２．８本）〜４１．０回（各４１．０本）であれば、本体部１０及びアンカー部２０の経糸方向の最大伸度を前記範囲内の最大伸度に設定することが可能である。
【００３０】
なお、本体部１０の厚みは、厚すぎる場合に、着用者の足首にバンデージを巻回する際に嵩張り巻き難くなり、薄すぎる場合に、バンデージの織物自体が折れ易く所望の固定力が得られない。このために、本体部１０の厚みは、バンデージを巻回し易く、所望の固定力が得られる厚みに設定することが好ましく、例えば、本体部１０の経糸方向（長手方向Ｌ）の最大伸度が６０％であれば、３ｍｍ以下に設定することが好ましい。
また、アンカー部２０の厚みは、厚すぎる場合に、着用者の足裏に違和感を生じさせ、薄すぎる場合に、バンデージの織物自体が折れ易く所望の固定力が得られない。このために、アンカー部２０の厚みは、着用者の足裏に違和感を生じさせず、所望の固定力が得られる厚みに設定することが好ましく、例えば、アンカー部２０の経糸方向（長手方向Ｌ）の最大伸度が６０％であれば、３ｍｍ以下に設定することが好ましい。
【００３１】
また、本実施形態に係るアンカー部２０には、着用者の中足骨に対応する部分にアンカー部２０を締結した場合に外側となる面（表地面）にループ（ループ面２３）を配設しているので、本体部１０に配設した係着部３０（フック面３３）は、脱着の容易性及び係着位置の自由度から、本体部１０の他端２０ｂの裏地面側に配設する。
【００３２】
また、本体部１０は、フィギュアエイト及び上方アンカー部を構成するために、着用者の足甲で交差する部分（第１の支持部１２及び第２の支持部１３）の長さと、着用者の足首を少なくとも一周する部分（巻回部１１）の長さが必要であり、性別や年齢等により足首の大きさに個人差はあるが、例えば、４６ｃｍ〜４８ｃｍの長さに設定することが考えられる。また、本体部１０は、着用者の足関節の固定を効果的に行なうために、ある程度の幅を要し、例えば、３ｃｍ〜７ｃｍに設定することが好ましい。また、アンカー部２０は、着用者の足部との接触面積を増やして摩擦力を増加させ、着用者の足部に対するアンカー部２０の位置ずれを防止するために、ある程度の幅を要し、例えば、３ｃｍ〜７ｃｍに設定することが好ましい。
【００３３】
また、本実施形態に係る本体部１０は、アンカー部２０と同じ生地を用いて、面ファスナーのループ面１０ｃを有する織物で織成されているが、経糸方向（長手方向Ｌ）の最大伸度が所望の最大伸度であれば、面ファスナーのループ面１０ｃは必ずしも必要ではない。
しかしながら、本体部１０は、面ファスナーのループ面１０ｃを有する織物で織成されていることにより、ループ面１０ｃを有しない場合と比較して、未使用時に足関節用バンデージ１００を丸めて係着部３０のフック面３３を本体部１０のループ面１０ｃに係着させてコンパクトに保管することができると共に、着用者によっては、係着部３０のフック面３３を本体部１０に係着させて足関節用バンデージ１００を使用する場合もあり、足関節用バンデージ１００の使用方法（係着位置）に自由度を持たせることができる。
【００３４】
また、本実施形態に係るアンカー部２０は、伸縮織物である帯状体の両端を互いに接合（例えば、縫合）して環状に形成され、特に、両端の接合前の帯状体が等脚台形状であり、両端（台形の脚同士）を接合することにより、両端の接合後の帯状体が略円錐筒状となる。
これにより、足関節用バンデージ１００は、着用者の足のつま先がアンカー部２０に挿入された場合に、アンカー部２０の内側面が足甲の傾斜にフィットして、アンカー部２０の略円錐筒の大径部２１及び小径部２２における浮きや皺の発生を抑制することができる。
【００３５】
なお、アンカー部２０は、着用者の足のつま先を挿入して中足骨に対応する部分に締結するために、例えば、両端接合前の帯状体における台形の下底の長さ（両端接合後の略円錐筒の大径部２１の円周長）を１７ｃｍ〜２１ｃｍに設定し、両端接合前の帯状体における台形の上底の長さ（両端接合後の略円錐筒の小径部２２の円周長）を１４ｃｍ〜１８ｃｍに設定することが好ましい。
【００３６】
ここで、アンカー部２０は、両端接合後の略円錐筒の大径部２１と小径部２２との円周長の差が４ｃｍ以上である場合に、大径部２１を着用者の足にフィットさせても小径部２２の円周長が小さいために着用者の足を圧迫することになり、逆に、小径部２２を着用者の足にフィットさせても大径部２１の円周長が大きいために着用者の足と大径部２１との間に間隙を生じさせることになる。
このため、アンカー部２０は、両端接合後の略円錐筒の大径部２１と小径部２２との円周長の差が４ｃｍ未満、好ましくは２．５ｃｍ〜３．５ｃｍに設定することが好ましく、特に、本実施形態に係るアンカー部２０は、両端接合後の略円錐筒の大径部２１と小径部２２との円周長の差を３ｃｍに設定している。
【００３７】
なお、縫製の種類には、フラットシーマ（四本針縫製）、オーバーロック、三点千鳥などがあるが、本実施形形態に係るアンカー部２０の両端同士の縫製は、合わせ部分が薄くなり、縫い目を抑え込む力で縫い目が平らで丈夫に仕上がり、山型裁断により立体に沿い易く、生地裏面に縫い代がないために肌に縫製箇所が当たらず着用感が良好であるというメリットを有するフラットシーマで縫製される。
【００３８】
また、アンカー部２０は、帯状体の両端を縫製して円周長の長さ調整不可能な環状に形成しているが、帯状体の両端同士を縫製することなく、帯状体の一端の裏地面に面ファスナーのフック面を縫製し、アンカー部２０の円周長を長さ調整可能にしてもよい。
しかしながら、アンカー部２０に面ファスナーのフック面を縫製することは、部材点数の増加により足関節用バンデージ１００の製造コストの上昇を招くと共に、面ファスナー部分におけるアンカー部２０の厚みが厚くなり、足関節用バンデージ１００の着用感及び美感を損なうために、帯状体の両端同士を縫製することが好ましい。
【００３９】
また、本実施形態に係るアンカー部２０及び本体部１０は、図１に示すように、アンカー部２０の周方向と本体部１０の長手方向Ｌとのなす角θを１５５°として接合されているが、足関節用バンデージ１００を着用した場合に、本体部１０がフィギュアエイトを構成することができるのであれば、このなす角θに限られるものではない。
なお、本体部１０を一端１０ａから他端１０ｂ側に牽引した場合には、なす角θが１８０°に近いほど、アンカー部２０の周方向（長手方向）に力が働いてアンカー部２０が回転することになり、なす角θが９０°に近いほど、アンカー部２０の幅方向に力が働いてアンカー部２０が足甲に沿ってずり上がることになる。このため、なす角θの範囲は、本体部１０を一端１０ａから他端１０ｂ側に牽引した場合に、アンカー部２０に浮きが生じず、接合部４０近傍で本体部１０が捩れない状態で、アンカー部２０に対して本体部１０を斜め後方に牽引できるように、足関節用バンデージ１００の使用方法の簡便さを考慮して、１４５°〜１６５°に設定することが好ましい。
【００４０】
また、アンカー部２０と本体部１０の一端１０ａとの接合部４０は、本体部１０の幅方向Ｗの長さよりも長く本体部１０の他端１０ｂ側を凸にして縫製される。
【００４１】
このように、足関節用バンデージ１００は、接合部４０が本体部１０の他端１０ｂ側に向けて凸状に縫製されることにより、足関節用バンデージ１００を着用者の足関節に巻回する場合に、本体部１０の巻回（牽引）方向に対応して、接合部４０での捩れを吸収し、接合部４０近傍の浮きや皺の発生を抑制することができる。
【００４２】
なお、接合部４０が略三角形状である場合には、着用者が足関節用バンデージ１００を着用する際に、本体部１０からの引張り応力により、三角形の頂点に応力が集中し、その頂点部分の生地が弱くなり、縫製箇所が崩壊する虞がある。
このため、本実施形態に係る接合部４０は、略半円形状にすることにより、本体部１０からの引張り応力に対しても、応力が集中することなく、縫製箇所の崩壊を抑制することができ、本体部１０の牽引方向の個人差にも対応できると共に、接合部４０近傍の浮きや皺の発生を抑制することができる。
【００４３】
また、アンカー部２０と本体部１０の一端１０ａとの接合では、本体部１０の両側辺で縫製しないことにより、本体部１０の両側辺がアンカー部２０に固定されず、本体部１０の接合部４０近傍の両側辺における織物が伸長できる。
このため、本実施形態に係る足関節用バンデージ１００は、着用者の足首に対する本体部１０の巻き付け角度が多少変化しても、本体部１０の接合部４０近傍の各辺における織物の歪みを吸収して、本体部１０の接合部４０近傍の各辺における生地の浮きや皺の発生を抑制することができる。
【００４４】
また、本実施形態に係る足関節用バンデージ１００は、図５（ａ）に示すように、着用者の足の正しい位置にアンカー部２０を締結させ、本体部１０がフィギュアエイトを構成する着用者の足関節への正しい巻き方となるように、目印としての縫い目によるセンターマーク２４をアンカー部２０の接合部４０近傍に縫製することができる。
【００４５】
本実施形態に係る係着部３０は、例えば、図１（ｂ）に示すように、長方形と等脚台形とを組み合わせた平面形状であり、長方形部分３１が本体部１０の裏地面に縫製され、等脚台形部分３２が本体部１０の他端１０ｂから突出している。このように、係着部３０は、等脚台形部分３２が本体部１０の他端１０ｂから突出していることにより、本体部１０と重畳しない分だけ薄くなり、等脚台形部分３２を着用者の手の指で把持させ易くし、アンカー部２０のループ面２３に対してフック面３３を容易に脱着することができる。
【００４６】
つぎに、図１、図３及び図４に示す足関節用バンデージ１００の着用方法について、図６及び図７を用いて説明する。
なお、以下の説明においては、着用者の右足に足関節用バンデージ１００を着用する場合について説明するが、着用者の左足に足関節用バンデージ１００を着用する場合は、図８、図９及び図１０に示す足関節用バンデージ１００を用いて、以下の説明の「右足」及び「左手」を「左足」及び「右手」にそれぞれ読み替えて、着用する。
【００４７】
着用者は、図７（ａ）に示すように、足関節用バンデージ１００のアンカー部２０に右足のつま先を挿通し、中足骨に対応する部分まで押し込み、アンカー部２０のセンターマーク２４を足甲の中央に合わせる。
そして、着用者は、左手で本体部１０の他端１０ｂを把持しながら本体部１０を牽引し、右足の第５指側から内踝にかけて足甲で伸長状態の本体部１０（第１の支持部１２）を配置させる。なお、伸長状態とは、着用者が足関節用バンデージ１００を着用後に巻回位置を微調整可能にする伸び代を有する状態を示す。
つぎに、着用者は、図７（ｂ）及び図７（ｃ）に示すように、両手を用いて、伸長状態の本体部１０（巻回部１１）を右足の内踝からアキレス腱に対応する部分を介して外踝の方向に足首に対して１周半だけ周回させる。
そして、着用者は、図７（ｄ）に示すように、左手で本体部１０の他端１０ｂを把持しながら、外踝から右足の第１指側にかけて足甲で伸長状態の本体部１０（第２の支持部１３）を配置させる。
【００４８】
最後に、着用者は、図６に示すように、土踏まずに位置するアンカー部２０のループ面２３に本体部１０の他端１０ｂにある係着部３０のフック面３３を係着させて、完了する。
このように、足関節用バンデージ１００は、着用者の土踏まずに位置するアンカー部２０に係着部３０を係着させることにより、着用者の土踏まずを押し上げることができ、着用者の着用感及び効果感を向上させることができる。
【００４９】
なお、図１、図３及び図４に示す足関節用バンデージ１００は、前述の足関節用バンデージ１００の着用方法において、本体部１０（第１の支持部１２）を右足の第５指側から内踝にかけて配置させたうえで足首に対して反時計回りに本体部１０（巻回部１１）を巻回している。このため、図１、図３及び図４に示す足関節用バンデージ１００は、右足に着用した場合に、アンカー部２０からの本体部１０（第１の支持部１２）の巻き始めの方向が右足の外側から足甲を介して内側となり、足部の外反方向に予め力を与え、足関節を内側に捻ることにより発症する内反捻挫を予防することができる。
また、必要に応じて、図１、図３及び図４に示す足関節用バンデージ１００は、左足に着用した場合に、アンカー部２０からの本体部１０（第１の支持部１２）の巻き始めの方向が左足の内側から足甲を介して外側となり、足部の内反方向に予め力を与え、足関節を外側に捻ることにより発症する外反捻挫を予防することもできる。
【００５０】
これに対し、図８、図９及び図１０に示す足関節用バンデージ１００については、左足に着用する場合に、本体部１０（第１の支持部１２）を左足の第５指側から内踝にかけて配置させたうえで足首に対して時計回りに本体部１０（巻回部１１）を巻回することになる。これにより、図８、図９及び図１０に示す足関節用バンデージ１００は、左足に着用した場合に、アンカー部２０からの本体部１０（第１の支持部１２）の巻き始めの方向が左足の外側から足甲を介して内側となり、足部の外反方向に予め力を与え、足関節を内側に捻ることにより発症する内反捻挫を予防することができる。
また、必要に応じて、図８、図９及び図１０に示す足関節用バンデージ１００は、右足に着用した場合に、アンカー部２０からの本体部１０（第１の支持部１２）の巻き始めの方向が右足の内側から足甲を介して外側となり、足部の内反方向に予め力を与え、外反捻挫を予防することもできる。
なお、図８、図９及び図１０に示す足関節用バンデージ１００は、図１、図３及び図４に示す足関節用バンデージ１００の本体部１０の一端１０ａを、アンカー部２０におけるセンターマーク２４を基準にして線対称の位置に接合したものである。
【００５１】
つぎに、本実施形態に係る足関節用バンデージ１００の本体部１０における経糸方向の最大伸度の最適な範囲について、試用試験の試験結果に基づいて説明する。
なお、試用試験には、図１に示すように、下記の表１に示す経糸１及び緯糸２の材質並びに緯糸２の打込み回数（本数）により織成された最大伸度が４５％、６０％又は７５％である本体部１０（長さ：５０ｃｍ、幅：５ｃｍ）と、アンカー部２０と、係着部３０と、を備えた足関節用バンデージ１００（以下、実施例１、実施例２及び実施例３とそれぞれ称す）を作製して使用した。
また、最大伸度が３５％又は９０％である本体部１０（長さ：５０ｃｍ、幅：５ｃｍ）を用いて、上記実施例と同様に足関節用バンデージ（以下、比較例１及び比較例２とそれぞれ称す）を作製して、試用試験に使用した。
【００５２】
【表１】
2015133478.tif 000003
【００５３】
試用試験は、図６に示すように、着用者の右足に足関節用バンデージを着用し、図１３の評価項目における着用者の効果感の官能評価（計５人）を実施した。評価方法は、先ずは各着用者にて各評価項目に対する官能評価を３段階（３：とても良い、２：良い、１：悪い）で点数化して、各評価項目における着用者全員（５人）の平均点を算出した。その後、実施例１〜３及び比較例１〜２について、各評価項目の合計点及び平均点を算出して、総合的に平均点が２点以上を及第点と判断した。
【００５４】
なお、図１３の評価項目「固定力」は、足関節の底屈又は背屈の可動域抑制力であれば、歩行、走行、階段の上り下りなどの動作における必要以上に力を使う足関節の底屈又は背屈の可動域の抑制を想定している。また、足部の内がえし及び外がえしの可動域抑制力であれば、スポーツ時のサイドステップやダッシュ時のストップ動作、段差などの不安定な場所での踏ん張りなどの日常の動作時における必要以上の力を使う場合、又は可動域の限界を超える動きの抑制を想定している。
【００５５】
さらに、図１３の評価項目「痛み」について、織物の圧迫力による痛みであれば、織物の最大伸度が小さい場合は、筋肉又は関節の動きや皮膚の伸び縮みに織物が追従できず、圧迫力をより強く感じて痛みを覚え易いと考えられ、織物の最大伸度が大きい場合は、可動域を抑制する固定力が弱くなると考えられる。
また、織物の硬さによる擦れの痛みであれば、織物の最大伸度が小さい場合は、筋肉や皮膚の動きに追従できないため、織物と皮膚が擦れて痛みを感じ易いと考えられ、織物の最大伸度が大きい場合は、筋肉や肌に対して添うように織物が伸びるため、肌へのトラブルが少ないと考えられる。
【００５６】
また、図１３の評価項目「面ファスナーの剥がし易さ」について、面ファスナーが剥がし易いということは、非力な着用者にも面ファスナーの着脱使用に支障が無いと共に、面ファスナーのループ面を有する織物自体が硬くて型崩れし難いことになる。
また、面ファスナーが剥がし難いということは、着用者の運動時に、バンデージの着用部位における関節の可動や筋肉の膨張により、面ファスナーのフック面がループ面から外れることが無い反面、面ファスナーのフック面及びループ面間の強い係着力により、面ファスナーのループ面を有する織物からパイル糸を引っ張り出し、面ファスナーを剥がした場合に、パイル糸が織物から突出して織物の毛羽立ちを生じさせることになる。
【００５７】
さらに、図１３の評価項目「織物の密着性」について、織物の最大伸度が小さい場合は、筋肉や皮膚の動きに追従できないため、生地が密着せずに肌抵抗が減少し、バンデージの効果を弱めると考えられ、織物の最大伸度が大きい場合は、生地と肌が密着して固定され易く、肌や筋肉の動きにフィットし、バンデージの効果を得易いと考えられる。
【００５８】
また、図１３の評価項目「巻き易さ」について、織物の最大伸度が小さい場合は、肌の曲面に沿い難く、本体部１０の巻回が困難である。また、織物の最大伸度が大きい場合は、織物と肌が密着して固定され易く、肌や筋肉の動きにフィットし易いが、効果的に着用するためには、本体部１０を十分に伸ばしながら巻く必要がある。しかし、本体部１０を十分に伸ばすと、本体部１０の他端１０ｂを持つ手とアンカー部２０との距離が長く離れるため、足関節への着用及び巻付けが困難となる。更に、本体部１０の他端１０ｂをアンカー部２０の所定位置に固定することが困難になることから、所定位置に固定できるように模索しながら巻く動作が生じてくる。
【００５９】
また、図１３の評価項目「固定力の調整のし易さ」について、織物の最大伸度が小さい場合は、強固な固定に適しているが、固定力の調整可能な範囲が狭いため、非力な着用者にとって固定力の調整が難しくなる。
【００６０】
さらに、図１３の評価項目「織物の折れ難さ」について、織物の最大伸度が小さい場合は、織目が詰まっているため、織物の腰も有り、織物が折れ難い。また、織物の最大伸度が大きい場合は、織目が空いているため、織物が折れ易い織組織であり、織物が折れることで本体部１０の構造が弱くなると考えられる。
【００６１】
以上のような評価項目において、実施例２は、図１３に示すように、ほぼ全ての評価項目において良好な評価結果を得ている。
また、実施例３は、固定力が弱いものの、他の評価項目において良好な評価結果を得ている。
また、実施例１は、痛みが有り、織物の密着性が悪いものの、他の評価項目において良好な評価結果を得ている。これに対し、比較例１及び比較例２は、ほとんどの評価項目において悪い評価結果を得ている。
以上より、総合的な評価結果としては、平均点が２点以上である実施例１（最大伸度４５％）、実施例２（最大伸度６０％）及び実施例３（最大伸度７５％）が、本体部１０として、最適であることがわかる。
すなわち、本実施形態に係る足関節用バンデージ１００の本体部１０における経糸方向の最大伸度は、４０％〜８０％が好ましく、４５％〜７５％がより好ましく、６０％が最も好ましい。
【００６２】
つぎに、本実施形態に係る足関節用バンデージ１００のアンカー部２０ついて、面ファスナーの耐久性試験（はく離強さ）の試験結果に基づいて説明する。
なお、面ファスナーの耐久性試験（はく離強さ）では、前述の官能評価の評価結果により、最も好ましい結果であった実施例２（経糸方向の最大伸度が６０％のアンカー部２０）を基準にして、他の伸縮織物と比較した。また、比較例としては、下記の表２に示す経糸１及び緯糸２の材質並びに緯糸２の打込み回数（本数）からなる市販の伸縮織物（以下、比較例３、比較例４及び比較例５とそれぞれ称す）を用いた。なお、比較例３は、面ファスナーとしてのループ面を有していないため、経糸におけるパイル糸及び緯糸における融着糸を備えていない。
【００６３】
【表２】
2015133478.tif 000004
【００６４】
なお、実施例２と比較例３〜５との大きな相違点は、パイル糸のフィラメントカウントの相違であり、実施例２の１０本に対し、比較例４が７本であり、比較例５が１５本であり、比較例３がパイル糸を使用していない（面ファスナーのループ面を有していない）。
【００６５】
面ファスナーの耐久性試験（はく離強さ）は、日本工業規格のＪＩＳ  Ｌ３４１６「面ファスナ」の７．４．２「はく離強さ」に準拠し、１０００回の接着・はく離の繰り返しを行なった実験結果を下記の表３に示す。
【００６６】
【表３】
2015133478.tif 000005
【００６７】
実施例２は、表３に示すように、保持率（初期のはく離強さに対する耐久試験後のはく離強さの百分率）が比較例３〜５と比較して最も高く、足関節に巻回して面ファスナーのフックで係着させる足関節用バンデージ１００に使用するアンカー部２０として最適であることがわかる。
特に、実施例２は、耐久試験後のはく離強さが初期のはく離強さに対して大きくなっている（保持率が１００％を超える）ため、足関節用バンデージ１００として長期間継続的に使用するうえで有利である。
なお、パイル糸のフィラメントカウントが多いことは、面ファスナーのフックがループに係着し易くなり、保持率が高くなる一方、最大伸度が低くなる。
比較例５は、パイル糸のフィラメントカウントが実施例２のパイル糸のフィラメントカウントよりも多いのであるが、外観の毛羽立ちを防ぐために樹脂加工が施されているため、面ファスナーのフックがループに係着し難くなり、初期のはく離強さ及び保持率が、実施例２の初期のはく離強さ及び保持率よりも低くなっている。
【００６８】
以上のように、足関節用バンデージ１００は、本体部１０でフィギュアエイトを構成することにより、着用者の距腿関節を固定し、関節適合性を図り、足関節を安定させ、歩行時における着用者の足首の振れを抑制（ヒールロック）して、内反捻挫の防止や片足立ち時の不安定性などを解消して、着用者による安定した歩行を補助することができる。
【００６９】
また、本体部１０によるフィギュアエイトは、足関節の背屈制動を補助することにより、着用者の重心を爪先立ち方向へ誘導し、着用者の歩行を補助することができる。また、本体部１０によるフィギュアエイトは、着用者の足関節を安定させ、立脚期（歩行中の足が接地している期間）の初期における地面（床）からの衝撃を吸収するための補助をなすことができる。
【００７０】
特に、足関節用バンデージ１００は、立脚期の初期における衝撃吸収及び立脚期の中期から後期にかけての推進力に寄与することができると共に、左右（内外反）の制動により足関節の安定性を得ることができるという作用効果を奏する。
また、足関節用バンデージ１００は、着用者の足関節を補助することにより、アキレス腱の疼痛、下腿三頭筋の疲労及び疼痛、並びに、足関節外側（靭帯）の疼痛を緩和するができるという作用効果を奏する。
【００７１】
また、図２に示す足関節用バンデージ１００は、例えば、本体部１０及びアンカー部２０の経糸１の経地糸１ａに緑色の糸を使用し、本体部１０及びアンカー部２０の経糸１のパイル糸１ｂに黒色の糸を使用し、本体部１０及びアンカー部２０の経糸１の弾性糸１ｃに黒色の糸を使用し、本体部１０及びアンカー部２０の緯糸２に黒色の糸を使用すると共に、図１２に示すように、共通の緯糸２に対して経地糸１ａを浮かせパイル糸１ｂを沈ませることにより、黒色の表地面に緑色の紋様１４が形成され、本体部１０及びアンカー部２０の表地面の紋様１４に対応する本体部１０及びアンカー部２０の裏地面の部分が黒色として本体部１０及びアンカー部２０の緑色の裏地面に表れる。
なお、足関節用バンデージ１００は、これらの色彩に限られるものではなく、例えば、本体部１０及びアンカー部２０の経糸１のパイル糸１ｂに虹色の七色（赤、橙、黄、緑、青、藍、紫）のいずれか一色の糸を使用し、本体部１０及びアンカー部２０の紋様１４を除く表地面を虹色のいずれか一色にすることが考えられる。これにより、足関節用バンデージ１００は、七色のカラーバリエーションの商品群により、需要者の購買意欲を発揮させることができる。
また、足関節用バンデージ１００は、例えば、本体部１０及びアンカー部２０の経糸１のパイル糸１ｂに蛍光色の糸を使用して本体部１０及びアンカー部２０の紋様１４を除く表地面を蛍光色にすることにより、需要者の購買意欲を発揮させると共に、夜間の外出時に着用することで、自動車等のヘッドライトに照らされて目立ち、安全防災面にも寄与することが期待できる。
【００７２】
なお、本実施形態に係る本体部１０は、面ファスナーのループ面１０ｃを有する場合について説明したが、図１４に示すように、面ファスナーのループ面１０ｃを有しない伸縮織物であってもよい。
この場合に、本体部１０は、ループ面１０ｃをなすパイル糸１ｂを必要とせず、パイル糸１ｂによるループを保持する融着糸２ｂを必要としない。
特に、本実施形態に係る本体部１０は、経糸１を構成するパイル糸１ｂの替わりに、前述の経地糸１ａ（以下、第１の経地糸１ａと称す）に対して緯糸２との交差浮沈を逆に対応させた経地糸１ａ（以下、第２の経地糸１ｄと称す）を用いている。
【００７３】
すなわち、経糸１は、図１５に示すように、緯糸２と共に織物の一の面（例えば、裏地面）を構成する第１の経地糸１ａと、経糸方向に伸縮性を与える弾性糸１ｃと、緯糸２と共に織物の他の面（例えば、表地面）を構成する第２の経地糸１ｄと、を備える。
また、緯糸２は、第１の経地糸１ａと共に織物の裏地面を構成する緯地糸２ａを備える。
なお、図１５（ｂ）及び図１６（ｂ）においては、並設される緯糸２を基準にして、上側が表地面となり、下側が裏地面となる。
【００７４】
また、本体部１０は、ジャカードニードル織機を用いることにより、経糸方向（長手方向Ｌ）で隣り合う複数の緯糸２に対して、経糸１の第１の経地糸１ａ（例えば、緑色の糸）を表地面側に浮かせて（第２の経地糸１ｄ（例えば、黒色の糸）を裏地面側に沈ませて）、自由に開口するジャガード組織にて、文字、図形若しくは記号又はこれらの結合からなる紋様１４を表地面に部分的に形成することができる。
【００７５】
次に、図１５を用いて本実施形態に係る織物組織の一例を説明する。すなわち、第１の経地糸１ａは、図１５（ｂ）に示すように、１本の緯糸２（緯地糸２ａ）に対して上側を通って浮き、隣り合う３本の緯糸２（緯地糸２ａ）に対して下側を通って沈む、緯糸２（緯地糸２ａ）との１−３の交差浮沈を繰り返して、織物組織を構成する。
また、弾性糸１ｃは、図１５（ｂ）に示すように、１本の緯糸２（緯地糸２ａ）に対して上側を通って浮き、１本の緯糸２（緯地糸２ａ）に対して下側を通って沈む、緯糸２（緯地糸２ａ）との１−１の交差浮沈を繰り返して、織物組織を構成する。
また、第２の経地糸１ｄは、図１５（ｂ）に示すように、隣り合う３本の緯糸２（緯地糸２ａ）に対して上側を通って浮き、１本の緯糸２（緯地糸２ａ）に対して下側を通って沈む、緯糸２（緯地糸２ａ）との３−１の交差浮沈を繰り返して、織物組織を構成する。
なお、図１５に示す第１の経地糸１ａ、弾性糸１ｃ及び第２の経地糸１ｄによる織物組織は、一例であり、この織物組織に限られるものではない。
【００７６】
続いて、図１６を用いて本実施形態に係る紋様部分の織物組織の一例を説明する。すなわち、紋様１４をなす第１の経地糸１ａは、図１６（ｂ）に示すように、隣り合う３本の緯糸２（緯地糸２ａ）に対して上側を通って浮き、１本の緯糸２（緯地糸２ａ）に対して下側を通って沈む、緯糸２（緯地糸２ａ）との３−１の交差浮沈を繰り返して、織物組織を構成する。
また、紋様１４をなす弾性糸１ｃは、図１６（ｂ）に示すように、１本の緯糸２（緯地糸２ａ）に対して上側を通って浮き、１本の緯糸２（緯地糸２ａ）に対して下側を通って沈む、緯糸２（緯地糸２ａ）との１−１の交差浮沈を繰り返して、織物組織を構成する。
また、紋様１４をなす第２の経地糸１ｄは、図１６（ｂ）に示すように、１本の緯糸２（緯地糸２ａ）に対して上側を通って浮き、隣り合う３本の緯糸２（緯地糸２ａ）に対して下側を通って沈む、緯糸２（緯地糸２ａ）との１−３の交差浮沈を繰り返して、織物組織を構成する。
なお、図１６に示す第１の経地糸１ａ、弾性糸１ｃ及び第２の経地糸１ｄによる織物組織は、一例であり、表地面に紋様１４を形成することができるのであれば、この織物組織に限られるものではない。
【００７７】
ここで、本体部１０が面ファスナーのループ面１１を有しない伸縮織物であり、本体部１０の最大伸度を６０％（１．６０倍±０．１）に設定した実施形態について説明する。
【００７８】
本実施形態に係る本体部１０の第１の経地糸１ａ及び第２の経地糸１ｄは、太さ１００デニールのウーリーナイロン双糸が好ましく、本実施形態に係る本体部１０には、１５２本のウーリーナイロン双糸を第１の経地糸１ａ及び第２の経地糸１ｄにそれぞれ用いるのが好ましい。
【００７９】
また、本実施形態に係る本体部１０の弾性糸１ｃは、太さ５６０デニールのポリウレタン糸（例えば、東レ・オペロンテックス株式会社のポリウレタン弾性繊維「ライクラ（登録商標）ファイバー」）に２本の太さ１５０デニールのポリエステルウーリー（ＥＷ：polyester woolly）単糸をカバーリングしたカバーリング糸が好ましく、本実施形態に係る本体部１０には、４１本のカバーリング糸を用いるのが好ましい。
【００８０】
また、本実施形態に係る本体部１０の緯地糸２ａは、太さ１５０デニールのポリエステルウーリー糸（ＥＷ）１本を用いるのが好ましい。
さらに、本実施形態に係る本体部１０には、力織機により１本の緯地糸２ａが緯糸２として打込まれ、緯糸２（緯地糸２ａ）の打込み回数（本数）が２．５４ｃｍ（１インチ）当り３３．６回（３３．６本）である。
【００８１】
このように、本実施形態に係る本体部１０は、前述の経糸１及び緯糸２の材質（特に、弾性糸１ｃ及び緯地糸２ａの太さ）並びに緯糸２の打込み回数（本数）により、経糸方向（長手方向Ｌ）の最大伸度を６０％に設定することができる。
なお、本実施形態に係る本体部１０は、ナイロン４７％、ポリエステル４４％、ポリウレタン９％の混率であるが、この混率に限られるものではない。
【００８２】
また、本実施形態に係る足関節用バンデージ１００は、素肌に直接巻回する場合について説明したが、例えば、国際公開第２０１１／０９０１９３号パンフレットに開示される足関節サポーターやくつ下（フートカバー類、ソックス類、ストッキング類、タイツ及びパンティ・ストッキング類）を着用した足関節に対して、足関節サポーター上やくつ下上に巻回することにより、素肌に対する足関節用バンデージ１００の滑りを無くし、足関節用バンデージ１００の作用効果を向上することができる。
なお、足関節用バンデージ１００をくつ下上に巻回する場合には、足関節用バンデージ１００とくつ下とをセットにすることもできる。
また、足関節用バンデージ１００をくつ下（最大伸度が低いくつ下が好ましい）上に巻回する場合には、足関節用バンデージ１００の一態様として、足関節用バンデージ１００のアンカー部２０を本体部１０から取り除き、くつ下の足甲部及び足底部の境界における外側面又は内側面に本体部１０の一端１０ａを縫製することにより、くつ下の爪先部をアンカー部２０として機能させることができる。
【符号の説明】
【００８３】
１      経糸
１ａ    経地糸（第１の経地糸）
１ｂ    パイル糸
１ｃ    弾性糸
１ｄ    第２の経地糸  ２      緯糸
２ａ    緯地糸
２ｂ    融着糸
１０    本体部
１０ａ  一端
１０ｂ  他端
１０ｃ  ループ面
１１    巻回部
１２    第１の支持部
１３    第２の支持部
１４    紋様
２０    アンカー部
２１    大径部
２２    小径部
２３    ループ面
２４    センターマーク
３０    係着部
３１    長方形部分
３２    等脚台形部分
３３    フック面
４０    接合部
１００  足関節用バンデージ
【図１】
2015133478.tif 000006
【図２】
2015133478.tif 000007
【図３】
2015133478.tif 000008
【図４】
2015133478.tif 000009
【図５】
2015133478.tif 000010
【図６】
2015133478.tif 000011
【図７】
2015133478.tif 000012
【図８】
2015133478.tif 000013
【図９】
2015133478.tif 000014
【図１０】
2015133478.tif 000015
【図１１】
2015133478.tif 000016
【図１２】
2015133478.tif 000017
【図１３】
2015133478.tif 000018
【図１４】
2015133478.tif 000019
【図１５】
2015133478.tif 000020
【図１６】
2015133478.tif 000021
【国際調査報告】
2015133478.tif 000022
2015133478.tif 000023
2015133478.tif 000024
2015133478.tif 000025